【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ナビゲーション情報をモバイルデバイス上に表示する方法であって、
前記モバイルデバイスにおいて、前記モバイルデバイスの位置の表示を入手することと、
前記モバイルデバイスにおいて、前記モバイルデバイスによってキャプチャされた画像コンテンツを使用して前記モバイルデバイスの方位の表示を決定することと、
前記モバイルデバイスの前記位置及び前記モバイルデバイスの方位の前記表示と関連付けられた少なくとも１つのアイレイを識別することと、
地理上の対象地域の幾何学的表現を通じて前記少なくとも１つのアイレイを投影することと、
前記アイレイが交わる少なくとも１つの対象ポイントを前記少なくとも１つの該当する対象ポイントとして識別することと、を行うことによって、
対象ポイントのうちで前記モバイルデバイスの前記位置及び前記方位と関連付けられる少なくとも１つの該当する対象ポイントを決定するために前記モバイルデバイスの前記位置の前記表示、前記モバイルデバイスの前記方位の前記表示、前記地理上の対象地域内の前記対象ポイントのアイデンティティに関する情報、及び、前記対象ポイントと関連付けられたエリアに関する情報を使用することと、
前記少なくとも１つの該当する対象ポイントの各々と関連付けられた少なくとも１つのビジュアル表示を前記モバイルデバイス上に表示することと、を備え、
前記少なくとも１つの該当する対象ポイントの各々に関する前記少なくとも１つのビジュアル表示の外観は、前記ビジュアル表示と関連付けられた前記該当する対象ポイントの前記モバイルデバイスからの距離あるいは前記モバイルデバイスと前記ビジュアル表示と関連付けられたその該当する対象ポイントとの間における既知の物理的障害物の存在のうちの少なくとも１つに依存する、方法。
【請求項２】
前記少なくとも１つの該当する対象ポイントの各々と関連付けられた前記少なくとも１つのビジュアル表示は、前記該当する対象ポイントの前記モバイルデバイスからの前記距離に依存する前記ビジュアル表示のサイズ又は透明度のうちの少なくとも１つを有する請求項１に記載の方法。
【請求項３】
前記使用することは、前記モバイルデバイスからの第１の異なる距離にある第１の該当する対象ポイント及び前記第１の距離よりも大きい前記モバイルデバイスからの第２の異なる距離にある第２の該当する対象ポイントを決定することをさらに備え、前記表示することは、前記第１及び第２の該当する対象ポイントにそれぞれ対応する第１及び第２のビジュアル表示を表示することをさらに備え、前記第１のビジュアル表示は、前記第２のビジュアル表示よりも大きい又は透明度が低いビジュアル表示のうちの少なくとも１つである請求項２に記載の方法。
【請求項４】
前記少なくとも１つの該当する対象ポイントの各々と関連付けられた前記少なくとも１つのビジュアル表示は、前記モバイルデバイスと前記該当する対象ポイントとの間における前記既知の物理的障害物の前記存在に依存する前記ビジュアル表示の透明度を有し、前記該当する対象ポイントは、前記モバイルデバイスに対する前記既知の物理的障害物を越えて配置され、前記ビジュアル表示は透明である請求項１に記載の方法。
【請求項５】
前記少なくとも１つの該当する対象ポイントの各々と関連付けられた前記少なくとも１つのビジュアル表示を前記モバイルデバイス上に表示することは、
前記モバイルデバイスの前記位置からの前記少なくとも１つの該当する対象ポイントの各々の距離に基づいて前記少なくとも１つの該当する対象ポイントをソートすることと、
前記該当する対象ポイントの各々と関連付けられた少なくとも１つのビジュアル表示をレンダリングすることと、
前記少なくとも１つの該当する対象ポイントの各々と関連付けられた前記少なくとも１つのビジュアル表示及び前記モバイルデバイスのカメラの視野の表現を表示することと、をさらに備える請求項１に記載の方法。
【請求項６】
前記少なくとも１つの該当する対象ポイントの各々と関連付けられた前記少なくとも１つのビジュアル表示は、前記該当する対象ポイントの前記モバイルデバイスからの前記距離に依存する前記ビジュアル表示のサイズ又は透明度のうちの少なくとも１つを有する請求項５に記載の方法。
【請求項７】
前記少なくとも１つの該当する対象ポイントの各々と関連付けられた前記少なくとも１つのビジュアル表示を前記モバイルデバイス上に表示することは、
前記モバイルデバイスの前記位置からの前記少なくとも１つの該当する対象ポイントの各々の距離に基づいて前記少なくとも１つの該当する対象ポイントをソートすることと、
前記モバイルデバイスの前記位置からの前記少なくとも１つの該当する対象ポイントの距離に基づいて前記少なくとも１つの該当する対象ポイントの各々に関するアルファチャネル値を決定することと、
前記少なくとも１つの該当する対象ポイントの各々と関連付けられた図形表示及び前記少なくとも１つの該当する対象ポイントの各々と関連付けられた前記アルファチャネル値に基づいて合成画像コンテンツを生成することと、
前記合成画像コンテンツを前記モバイルデバイスのディスプレイ上に表示することと、をさらに備える請求項１に記載の方法。
【請求項８】
前記少なくとも１つの対象ポイントの各々と関連付けられた前記図形表示は、前記図形表示と関連付けられた前記該当する対象ポイントの画像を備える請求項７に記載の方法。
【請求項９】
ナビゲーション情報をモバイルデバイス上に表示するための装置であって、
前記モバイルデバイスにおいて、前記モバイルデバイスの位置の表示を入手するための手段と、
前記モバイルデバイスにおいて、前記モバイルデバイスによってキャプチャされた画像コンテンツを使用して前記モバイルデバイスの方位の表示を決定するための手段と、
対象ポイントのうちで前記モバイルデバイスの前記位置及び前記方位と関連付けられる少なくとも１つの該当する対象ポイントを決定するために前記モバイルデバイスの前記位置の前記表示、前記モバイルデバイスの前記方位の前記表示、地理上の対象地域内の前記対象ポイントのアイデンティティに関する情報、及び、前記対象ポイントと関連付けられたエリアに関する情報を使用するための手段と、使用するための前記手段は、
前記モバイルデバイスの前記位置及び前記モバイルデバイスの方向の前記表示と関連付けられた少なくとも１つのアイレイを識別するための手段と、
前記地理上の対象地域の幾何学的表現を通じて前記少なくとも１つのアイレイを投影するための手段と、
前記アイレイが交わる少なくとも１つの対象ポイントを前記少なくとも１つの該当する対象ポイントとして識別するための手段と、を備え、
前記少なくとも１つの該当する対象ポイントの各々に関するビジュアル表示を前記モバイルデバイス上に表示するための手段と、を備え、
前記少なくとも１つの該当する対象ポイントの各々に関する前記ビジュアル表示の外観は、前記ビジュアル表示と関連付けられた前記該当する対象ポイントの前記モバイルデバイスからの距離又は前記モバイルデバイスと前記ビジュアル表示と関連付けられたその該当する対象ポイントとの間における既知の物理的障害物の存在のうちの少なくとも１つに依存する、装置。
【請求項１０】
前記少なくとも１つの該当する対象ポイントの各々と関連付けられた前記少なくとも１つのビジュアル表示は、前記該当する対象ポイントの前記モバイルデバイスからの前記距離に依存する前記ビジュアル表示のサイズ又は透明度のうちの少なくとも１つを有する請求項９に記載の装置。
【請求項１１】
使用するための前記手段は、前記モバイルデバイスからの第１の異なる距離にある第１の該当する対象ポイント及び前記第１の距離よりも大きい前記モバイルデバイスからの第２の異なる距離にある第２の該当する対象ポイントを決定するための手段をさらに備え、表示するための前記手段は、前記第１及び第２の該当する対象ポイントにそれぞれ対応する第１及び第２のビジュアル表示を表示するための手段をさらに備え、前記第１のビジュアル表示は、前記第２のビジュアル表示よりも大きい又は透明度が低いビジュアル表示のうちの少なくとも１つである請求項１０に記載の装置。
【請求項１２】
前記少なくとも１つの該当する対象ポイントの各々と関連付けられた前記少なくとも１つのビジュアル表示は、前記モバイルデバイスと前記該当する対象ポイントとの間における前記既知の物理的障害物の前記存在に依存する前記ビジュアル表示の透明度を有し、前記該当する対象ポイントは、前記モバイルデバイスに対する前記既知の物理的障害物を越えて配置され、前記ビジュアル表示は透明である請求項９に記載の装置。
【請求項１３】
前記地理上の対象エリアは、屋内環境を備える請求項９に記載の装置、または請求項１に記載の方法。
【請求項１４】
前記少なくとも１つの該当する対象ポイントの各々と関連付けられた前記少なくとも１つのビジュアル表示を前記モバイルデバイス上に表示するための前記手段は、
前記モバイルデバイスの前記位置からの前記少なくとも１つの該当する対象ポイントの各々の距離に基づいて前記少なくとも１つの該当する対象ポイントをソートするための手段と、
前記該当する対象ポイントの各々と関連付けられた少なくとも１つのビジュアル表示をレンダリングするための手段と、
前記少なくとも１つの該当する対象ポイントの各々と関連付けられた前記少なくとも１つのビジュアル表示及び前記モバイルデバイスのカメラの視野の表現を表示するための手段と、をさらに備える請求項９に記載の装置。
【請求項１５】
ナビゲーション情報をモバイルデバイス上に表示するためのコンピュータによって読み取り可能な命令を格納している非一時的なコンピュータによって読み取り可能な媒体であって、請求項１〜７または１３のうちのいずれかのステップをコンピュータに行わせるように構成された命令を備える、非一時的なコンピュータによって読み取り可能な媒体。